(57)【要約】 【課題】  本発明は、何ら支持台等を用いずとも、宝石類そのものを前面に押し出して表出できる紐状部材を用いた宝飾品又はそのための装飾体の提供が課題であり、特に紐状部材上の任意位置に装飾体を移動することができるとともに任意位置で固定可能な宝飾品又は宝飾品に用いる装飾体の提供を課題とする。【解決手段】  係る課題は、宝石類の装飾体を用いた紐状部材の宝飾品からなり、該装飾体には孔を有すると共に該孔内に孔を有するチューブを挿通するものであって、チューブの孔が紐状部材の径とほぼ同径であり、該チューブの孔に紐状部材を挿通することによって、該装飾体を紐状部材の任意位置に移動することができ、該位置で固定できる宝飾品及びそのための装飾体を用いることによって達成できる。【選択図】    図１
2010046383.tif 000002
【特許請求の範囲】
【請求項１】
紐状部材１に装飾体２を配設する宝飾品であって、
該装飾体２が宝石類よりなると共に、この装飾体に孔２１を有し、
該孔２１内に、孔２３を有するチューブ２２を挿通して配設し、
該チューブ２２の孔２３は紐状部材１の径とほぼ同径からなり、
該チューブ２２の孔２３に紐状部材を挿通することによって、
該装飾体２を紐状部材１の任意位置に移動して該位置で定置することによって、任意に装飾体２の位置を移動して定置することが可能なことを特徴とする宝飾品。
【請求項２】
宝石類が、貴石、半貴石、真珠または琥珀のいずれかであることを特徴とする請求項１記載の宝飾品。
【請求項３】
一の宝飾品に複数又は多数の宝石類からなる装飾体２を有することを特徴とする請求項１又は２のいずれかに記載の宝飾品。
【請求項４】
一の宝飾品に複数種類の宝石類からなる装飾体２を有することを特徴とする請求項３に記載の宝飾品。
【請求項５】
紐状部材１がチェーンであることを特徴とする請求項１乃至４のいずれかに記載の宝飾品。
【請求項６】
チューブ２２が樹脂製であることを特徴とする請求項１乃至５のいずれかに記載の宝飾品。
【請求項７】
宝飾品がネックレス、プレスレッド、アンクレットのいずれか一であることを特徴とする請求項１乃至６のいずれかに記載の宝飾品。
【請求項８】
紐状部材１と装飾体２よりなる宝飾品の装飾体であって、
該装飾体２は紐状部材１上を移動可能であって、任意位置で固定できる宝飾品の装飾体２であり、
該装飾体２が宝石類よりなり、
該装飾体２には孔２１を有すると共に、該孔２１内に、孔２３を有するチューブ２２を挿通して固着配設し、
該チューブ２２の孔２３は紐状部材１の径とほぼ同径からなり、
該孔２３内に紐状部材１を挿通することを特徴とする紐状部材と装飾体よりなる宝飾品の装飾体。
【請求項９】
宝石類が、貴石、半貴石、真珠または琥珀のいずれかであることを特徴とする請求項８記載の紐状部材と装飾体よりなる宝飾品の装飾体。
【請求項１０】
チューブ２２が樹脂製であることを特徴とする請求項８又は９のいずれかに記載の紐状部材と装飾体よりなる宝飾品の装飾体。
【請求項１１】
該装飾体２の孔２１にチューブ２２を挿通すると共に、
該チューブ２２は装飾体２の孔２１の長さよりも短いものであって、
装飾体２の孔２１内の中央部分に配置して該孔２１の両端部２００方向には接着部材層２４を有するものであり、
該接着部材層２４にはチューブ２２に連通する紐状部材１と同径又はそれ以上の径を有する孔２５を有し、
該接着部材層２４の孔２５とチューブ２２の孔２３に紐状部材１を挿通可能であって、
少なくともチューブ２２の孔２３が紐状部材１とほぼ同径であることを特徴とする請求項８乃至１０のいずれかに記載の紐状部材と装飾体よりなる宝飾品の装飾体。
【発明の詳細な説明】
【技術分野】
【０００１】
本発明は、ネックレスやブレスレッド或いはアンクレッド等のチェーン類からなる紐状部材に貴石や半貴石或いは真珠等の宝石類を貫通した宝飾品及び紐状部材と装飾体よりなる宝飾品の装飾体に関する。
【背景技術】
【０００２】
従来、ネックレスやブレスレッド或いはアンクレッド等に関してはチェーン類からなる紐状部材をもって構成するものであり、該紐状部材の装飾性を高めるために更に紐状部材状に宝石類を係止し、又は連結部材を介して紐状部材にぶら下げて構成するものが多用されている。
即ち、例えば貴石や半貴石或いは真珠等の宝石類を支持する支持台上に宝石類を係止した所謂ペンダントヘッド形状をもって構成し、更にその後該支持台に紐状部材に連接する為の連結部材を用いるものが多用されている。
【０００３】
例えば宝石類を支持する支持台４の両端方向に紐状部材１を連結して構成した図８に示すネックレスや、或いは図９に示すように連結部材として紐状部材１を貫通するための貫通孔を有する連結部材を有する支持台４を用いた一例等が用いられているものである。
更に特開２００６−２９６８２８号に示すペンダントネックレス(特許文献１)や特開平８−３２１号の図１に示すペンダントヘッドの形状等(特許文献２)が存在する。
【特許文献１】特開２００６−２９６８２８号
【特許文献２】特開平８−３２１号
【発明の開示】
【発明が解決しようとする課題】
【０００４】
以上の様に、ネックレスやブレスレッド或いはアンクレット等のチェーンその他の紐状部材を用いる装飾品に関しては、該紐状部材のほかに更に宝石類を配設して、より装飾性を高めることが多用されているものである。
係る場合、貴石や半貴石或いは真珠等の宝石類に関して、このような紐状部材に施す場合には前記のように該宝石類を別途支持台上に載置し、更にこの支持台に設置している連結部材を持って紐状部材に連接するものである。
【０００５】
従って、先ず、ネックレスやブレスレッド或いはアンクレット等のチェーンその他の紐状部材に宝石類を配設して装飾価値を高めた宝飾品は既に多数用いられているものであるが、これに対して、このような宝石類を配する前提として該宝石類を支持する支持台をもって載置し、更にはこの支持台に有する連結部材でチェーン等と連結しているものである。
従って、どうしても支持台を中心に宝石類を配置するものであり、支持台への配置状態によってある程度特定の形状に限定されてしまうものである。
【０００６】
この場合支持台にチェーンを貫通する貫通孔からなる連結部材を有する支持台をもってした場合には、チェーン上を移動可能としてより装飾性を高められるが、この場合にあってもどうしてもネックレスにあっては首に提げた場合の最下点に装飾体が位置するものとなる。
このことは複数の装飾体を施した場合であっても同様である。
特に、宝石類を用いる場合には支持台への載置や係止が必要となるものであり、支持台を介して紐状部材と連接されることから、該支持台の装飾性によってその装飾的効果が変化するものとなってしまうものである。
【０００７】
係る場合よりシンプルにかつ宝石類を前面に押し出せる何らかの宝飾品の提供が望まれるものである。
更には、チェーンなどの紐状部材の任意箇所に宝石類をちりばめられ、かつこの位置を任意に移動して任意位置において定置可能とできる装飾体を用いることによって、より装飾性の高いかつ個々人の趣向に合致した宝飾品の提供ができることから、係ることの可能な何らかの宝飾品及び紐状部材と装飾体よりなる宝飾品の装飾体の提供が望まれるものである。
【課題を解決するための手段】
【０００８】
係るため本発明の請求項１記載の発明は、紐状部材に装飾体を配設する宝飾品であって、装飾体が宝石類よりなるとともに、該装飾体に孔を有し、該孔内に孔を有するチューブを挿通して配設し、該チューブの孔は紐状部材の径とほぼ同径からなり、該チューブの孔に紐状部材を挿通することによって、該装飾体を紐状部材の任意位置に移動して該位置で定置することによって、任意に装飾体の位置を移動して定置することが可能な宝飾品からなるものであって、かかる発明によって前記課題を解決できる。
【０００９】
また、請求項２に係る発明は、宝石類が、貴石、半貴石、真珠または琥珀のいずれかである宝飾品からなり、かかる発明であってもよい。
また請求項３に係る発明の様に、一の宝飾品に複数又は多数の宝石類からなる装飾体を有する宝飾品であって、更に請求項４に係る発明の様に一の宝飾品に複数種類の宝石類からなる装飾体を有する宝飾品であってもよい。
この他、請求項５に係る発明のように紐状部材がチェーンである宝飾品でもよく、この他請求項６に係る発明のようにチューブが樹脂製であってもよい。
【００１０】
また、請求項７に係る発明のように宝飾品がネックレス、プレスレッド、アンクレットのいずれか一であってもよい。
これらのような宝飾品の他、請求項８に係る発明のように紐状部材と装飾体よりなる宝飾品の装飾体であって、該装飾体は紐状部材上を移動可能であって、任意位置で固定できる宝飾品の装飾体であり、該装飾体が宝石類よりなり、該装飾体には孔を有するとともに、該孔内に孔を有するチューブを挿通して固着配設し、該孔内に紐状部材を挿通する紐状部材と装飾体よりなる宝飾品の装飾体を用いることによって、前記課題を解決できるものである。
【００１１】
この場合、請求項９に係る発明のように宝石類が、貴石、半貴石、真珠または琥珀のいずれかであればよく、請求項１０に係る発明のようにチューブが樹脂製であってもよい。
特に、請求項１１に係る発明のように該装飾体の孔にチューブを挿通すると共に、該チューブは装飾体の孔の長さよりも短いものであって、装飾体の孔内の中央部分に配置して該孔の両端部方向には接着部材層を有するものであり、該接着部材層にはチューブに連通する孔を有し、該接着部材層の孔とチューブの孔に紐状部材を挿通可能であって、少なくともチューブの孔が紐状部材とほぼ同径である紐状部材と装飾体よりなる宝飾品の装飾体によって前記課題を解決できるものである。
【発明の効果】
【００１２】
以上のように構成したことから、まず請求項１に係る発明によって宝石類に孔を有する装飾体を用いた宝飾品の提供ができるものであり、特に宝石類を表出している装飾体を外観上何らの支持部材を有さずにそのまま紐状部材に装着できるものであり、更には紐状部材の任意位置に移動することができると共に移動した該場所に定置することのできる宝飾品の提供を可能とする。
特に宝石類からなる装飾体は通常支持台に載置支持したうえで、該支持台で紐状部材に連設するが、このような支持台などを用いずに装飾体そのものをそのまま用いて装着できるものであり、またその位置を任意に変えて種々の装飾形態を任意に表出できる宝飾品の提供が可能となるものである。
【００１３】
次に請求項２に係る発明によって、宝石類として貴石、半貴石又は真珠や琥珀を用いることができる。
特に貴石や半貴石はきわめて高価であり、またそのもの自体が装飾体として形成できるものとなり、装飾的価値を高めることができるものである。
更に支持台等を用いず装着できる点でも有用である。
又、真珠に関しては、通常紐状部材上を移動させると傷等がつくことから極力移動しないように形成するが、本構成によって安全にかつ自在に移動できるとともに任意位置で定置できることとなる。
もとより真珠以外の各種宝石類においても同様である。
【００１４】
次に請求項３及び請求項４に係る発明によって、任意の数、任意の種類、任意の形状等各種の装飾体を用いることができ、きわめて広範で応用範囲の広い、きわめて多様な宝飾品の提供を可能とするものである。
更に請求項５に係る発明によって、紐状部材として多用されるチェーンを使用できることとなる。
また請求項６に係る発明によって、紐状部材を挿通するチューブが樹脂製であり、弾力をもって形成できるものとなる。
さらに請求項７に係る発明のように、ネックレスのほか、ブレスレットやアンクレットにも使用できるものである。
【００１５】
さらには請求項８に係る発明のように、紐状部材の任意位置に移動し、また定置することのできる宝石類からなる装飾体の提供を可能とするものであって、何らの支持台等を用いずに外観視上宝石類そのものだけからなる装飾体として用いることのできるものであって、きわめて独特かつ特殊な装飾体の提供を可能とする。
また請求項９に係る発明によれば、宝石類として貴石、半貴石又は真珠や琥珀を用いることができ、支持台等を用いずそのもの自体を装飾体として形成できるものとなり、装飾的価値を高めることができるものである。
又、真珠を含むその他の宝石類に関して、紐状部材上を安全にかつ自在に移動できるとともに任意位置で定置できることとなる。
【００１６】
さらに請求項１０に係る発明によれば、弾力性を有するチューブを使用でき、弾力を持って装飾体を押えることができるものであり、定置すなわち定位置での固定を可能とし、また移動時における移動の際にも弾力を持って支持できるものである。
また請求項１１に係る発明によって、チューブを装飾体の孔内に接着固定できるものであり、更に接着部材層の孔によって紐状部材の挿通を可能とする。
【発明を実施するための最良の形態】
【００１７】
図1は、本発明に係る基本的な宝飾品であるネックレスの一例を示す図である。
まず紐状部材であるチェーン等１に宝石類よりなる装飾体２が計７つ貫通している一例を示す。
該装飾体２は、宝石類からなり、たとえば貴石や半貴石、或いは真珠等よりなるものである。
まず、チェーン等の紐状部材１は留め金具３を介してつながっているネックレスの一例を示すものである。
【００１８】
次に、貴石としては、例えば、ダイヤモンド、ルビー、サファイア、エメラルド、アレキサンドライト、トパーズ、ジルコン、アクアマリン 、キャッツアイ、トルマリン、ガーネット、ペリドット、ヒスイ、オパール等が該当し、更には半貴石としては、水晶、アゲート、メノウ、ガーネット、アメジスト、シトリン、スピネル、瑠璃、タンザナイト、クンツァイト 、アイオライト、ターコイズ、ムーンストーン、ヘマタイト、タイガーアイ、マラカイト、孔雀石、黒耀石、ソーダライト、フローライト、蛍石等であり、特に貴石と半貴石として明確に区別されるものに限らず、いずれかに該当すべきものであればよい。
【００１９】
これらの貴石や半貴石のほか、真珠や琥珀等を用いたものであってもよい。
これらを本明細書においては、宝石類として特定するものであり、これらを装飾体として用いるものである。
本図に示す宝石類からなる装飾体２は、その本体２０の中央部分に連通する孔２１を有しているものであって、該孔２１内にチェーン１が貫通しているものである。
さらに該宝石類からなる装飾体２の孔２１内には、中空の連通する孔を有するチューブ２２を有しているものであって、ネックレスの紐状部材であるチェーン１は、該装飾体２の孔２１内のチューブ２２の孔２３内に貫通しているものである。
【００２０】
この場合チェーン１は、チューブ２２の孔２３内に接する程度の間隔で挿入しているものであって、チューブ２２の弾力をもって、チェーン１がチューブ２２の孔２３内で定置されるものである。
このことからチェーン等の紐状部材１上において装飾体２を把持して引くと、或いは装飾体２をチェーン等の紐状部材１上に沿って引くことによって、装飾体２をチェーン１上で移動できるものとなる。
また、チェーン１上の任意位置に装飾体２を移動して定置できるものとなる。
【００２１】
更に、装飾体２内のチューブ２２に関しては、装飾体２の孔２１内全域にわたって配置するもののほか、例えば装飾体２の孔２１内の両端部分２００においては、例えば接着部材でチューブ２２を孔２１内に設置定置させて、更に接着部材２４で固めた両端部分２００には、チェーン等の紐状部材１を挿通できる程度の孔２５を開けたものであってもよい。
このように一のチェーン１上に二以上の装飾体２を配置し、これらの装飾体２を装着後さらにそれぞれ任意にチェーン１上を移動可能とするとともに任意位置で定置すなわち定位置で固定できるように構成することによって、チェーン１上の装飾体２の配置状態を任意に変動することのできる紐状部材を用いた宝飾品の提供が可能となる。
【００２２】
図２は、紐状部材であるチェーン１上における宝石類からなる装飾体２を任意位置に移動させて定置配置させた一例を示す図である。
例えば図１に示す構成から、ユーザーが気分や他の装飾品との兼ね合い或いは各種状況等に応じて、宝石類からなる装飾体２を移動して異なる装飾的効果を発揮する構成に変えた一例を示すものである。
本図のように、ネックレスのチェーン１の装着時の最下部分に宝石類からなる装飾体２を３つ位置されて、両側方向に一定の間隔をあけて、更に別の宝石類からなる装飾体２を一つずつ配置し、更に間隔をあけて装飾体を一つずつ配置した一例を示す図である。
【００２３】
以上のように装飾体２を任意位置に配置することができるとともに必要に応じて移動することもできるものであって、一のネックレスにおいて各種の異なる形状を任意に表出できるものである。
従って一の宝飾品で、多様多彩な構成を任意に表出することのできる宝飾品の提供を可能とするものである。
【００２４】
図３は、図１及び図２に示す宝石類からなる装飾体２の一例の拡大図である。
図３（ａ）に示すように、宝石類からなる装飾体２には、装飾体２内を連通する孔２１を有しており、該孔２１内にはさらに樹脂製のチューブ２２が挿入されている。
このチューブ２２にはその軸芯部において連通する孔２３を有している。
該孔２２は、少なくとも紐状部材１を挿通するものであり、紐状部材１と同径程度の径を有するものである。
【００２５】
さらに該チューブ２２は装飾体２の孔２１内の中央部分に配置されており、装飾体２の孔の両端方向２００部分には接着部材２４によって構成した孔２５を有している。
これは、装飾体２の孔２１内に挿入しているチューブ２２をその孔２１内において任意位置にきっちりと定置させるものであって、装飾体２の孔２１の両端部分２００を接着部材で接着することともに硬化した接着部材層２４で両端部分を埋めるものであるとともに、更に硬化した接着部材層２４に孔２５をあけてチェーン等の紐状部材１の挿通を可能とするものである。
このように構成することによって装飾体２の孔２１内にチューブ２２を任意位置に接着配置できるとともに、更にこのチューブ２２の孔２３内にチェーン等の紐状部材１を移動自在に挿入できるものである。
【００２６】
図３（ｂ）は、図３（ａ）のＡ−Ａ線断面図である。
装飾体２内に設けた孔２１内に樹脂製のチューブ２２を配置しているものであり、更に該チューブ２２の両端部分は接着部材を硬化させて構成した接着部材層２４を有しているものであって、該接着部材層２４には更にドリル等の孔開け部材で形成した孔２５を有しているものである。
従って、これによって接着部材層２４の孔２５とチューブ２２の孔２３とでチェーン１を挿通可能と構成できるものである。
また、該接着部材層２４の孔２５は紐状部材１と同径又はそれ以上の径を有する孔よりなるものであればよい。
【００２７】
なお、チューブ２２には、その両端部分に切れ込み２２１を有しているものであって、チェーン１による孔２３内における移動時のチューブ２２の変形の圧力等や、装飾体２内への装着時における装着の安定性などのためにこの切れ込み２２１で全体の変形を許容すると共に低圧をチェーン１に掛けることを可能とする。
また、装飾体２の孔２１の内周面には、接着部材２６が塗付乃至塗着されている。
これは、例えば宝石類２に孔２１をあけるとその内周面が削られることから、傷等によって白色等に変色するものであり、これが宝石類の外観にも表出され白い空洞の存在が視認可能となってしまうものである。
【００２８】
従って、該白色への変色部分である傷に対してその傷部分に透明の接着部材２６を塗布又は塗着することによって、変色を解消し、宝石類自身の色彩に戻すことができるものである。
このことより、例えば本図のように装飾体２の内周面に接着部材２６を塗布してあるものである。
更に、装飾体２への孔２１の穿設又は形成は、該装飾体２の中心部分に設けるものとして本図は示すが、これに限らず装飾体２の端の部分や任意位置に設けるものであってもよく、更には装飾体２に対して傾斜した孔を設けるものであっても、或いは屈曲又は屈折した孔２１を設けるものであってもよい。
【００２９】
次に図４は、本発明に係る装飾体の製造方法又は工程の一例を示す図である。
まず図４（ａ）に示すように、宝石類からなる装飾体２の任意位置に孔２１を穿設する。
この場合穿設位置は、任意位置でよく、少なくともチェーン１を挿通する孔２３を有するチューブ２２を挿入可能な孔２１を有しておればよい。
次に図４（ｂ）に示すように、装飾体２に設けた孔２１の内周面に透明の接着部材２６を塗着するものである。
これによって、孔２１内の傷を隠すことができ、この部分が白く浮き出ることを付せば装飾体２の本来の部材の色に戻すことができる。
従って、装飾体２における孔２１の部分が白色等やくすんだ色調になることを防ぐことができ、装飾体２の装飾的価値の維持が可能となる。
【００３０】
次に図４（ｃ）は、装飾体２の孔２１内に挿入するチューブ２２の一例を示す図であり、該チューブ２２は例えば樹脂製の透明な筒状の空洞からなる孔２３を有するチューブ２２である。
樹脂製とするのは弾力性を有するためや変形可能とするため、或いは接着部材による接着効果を高められるため等の種々の効果を有するためである。
この場合、軟質樹脂製のものでも、硬質樹脂製のものでもいずれでもよい。
但し、この樹脂製のチューブ２２が最適ではあるがその他これに限らず他の部材でもよい。
次に透明としたのはチューブ２２の色調が装飾体外部から視認できなくするためであり、透明が最適ではあるが、その他装飾体の部材と同色のものでも、或いはうすい色から構成されており、外部からチューブ２２が視認できない色彩のものを用いたものであってもよい。
【００３１】
さらに、特にこのチューブ２２の配設を浮き上がらせて独特の装飾性を出すために特別な色彩を有するものを用いるものであってももちろん良い。
したがって、これらは任意に用いるものであってもよい。
次に本チューブ２２には両端部分から切れ込み２２１を有するものである。
この切れ込みによって、チューブ２２の変形やチェーン等１の接触に対して一定の弾力性の付与等を効率よく行うことができるものであり、この切れ込み２２１を有するものが最適ではあるがこれがないものであってもよい。
また、該チューブ２２の孔２３の径は少なくとも紐状部材１と同径程度の径を有することが必要である。
【００３２】
図４（ｄ）は、更にこのチューブ２２を装飾体２の孔２１内に装着した状態の一例を示す図である。
本図のように孔２３を有するチューブ２２を装飾体２の孔２１内に挿入することによって、チェーン等１の挿通をチューブ２２の孔２３で行える。
この場合、装飾体２の孔２１の両端部からそれぞれ離した中央部分に装着しているが、これはチューブ２２の装着に際して、両端部分２００において接着部材で接着部材層２４を構成して接着するためであるが、このほか例えば他の方法によるチューブ２２の装飾体２の孔２１内への接着や配設、あるいは装飾体２の孔２１全体にわたる長さのチューブ２２を用いるものであってもよい。
【００３３】
次に図４（ｅ）は、装飾体２の孔２１の両端部分２００に接着部材で接着部材層２４を構成した状態を示す図である。
これは、チューブ２２を装飾体２の孔２１内の中央部分に挿入した後に、該孔２１の両端部分２００に更に接着部材２４を挿入し、両端部を固めたものである。
これによって、チューブ２２が装飾体２の孔２１内において接着定置することとなる。
特にチューブ２２に設けた切れ込み２２１によっても、この接着部材が該切れ込み２２１部分にしみこむものであって、装飾体２の孔２１内でのチューブ２２の接着の接着力を高められるものである。
【００３４】
次に、図４（ｆ）は該装飾体２の孔２１の両端に用いた接着部材２４が硬化した後にさらにドリル等によって孔２５を開けて、チェーン等の紐状部材を貫通可能としたものである。
このように構成することによって樹脂製のチューブ２２を中核とし、チェーン等の紐状部材１を挿通可能な孔２３、２５を有する装飾体２の提供が可能となる。
このようにこの接着部材層２４の孔２５にはチューブ２２に連通する紐状部材１と同径又はそれ以上の径を有するものである。
【００３５】
図５、装飾体２の孔２１内の接着部材層２４の孔２５内にチェーン１が挿通した状態の一例を示す図である。
本図に示すように、チェーン１は、接着部材層２４の孔２５とチューブ２２の孔２３に接する程度の状態で挿通しているものである。
これによって、特に孔２３内で弾力をもってチェーン１が押えられて定位置で装飾体２を定置固定できるが、装飾体２をチェーン１に沿って動かすことができるものであり、任意位置に可動することもできる。
【００３６】
図６、ネックレスよりなる本発明の宝飾品の一例を示す図である。
まず、宝石類よりなる装飾体２として他の装飾体より大型の装飾体２を一つ有するとともに、その両側方向に小型の装飾体２をそれぞれ６個ずつ配置した一例を示す。
例えば、大型の装飾体２として貴石を配置し、更に両側方向に真珠等の小型の宝石類からなる装飾体２を配置した一例である。
このように各種の貴石や半貴石、或いは真珠や琥珀等を適宜組み合わせると共に大きさや形状等を任意に選択して用いたものであってもよい。
【００３７】
図７は、本発明にかかる宝飾品としてブレスレットに用いた一例を示す図である。
たとえば紐状部材１、例えば細紐や皮紐等に宝石類からなる装飾体２を３つ配置した一例である。
このほか、例えばアンクレット等に用いたものであってももちろんよい。
【図面の簡単な説明】
【００３８】
【図１】本発明に係る宝飾品の一例を示す図
【図２】図１に係る宝飾品の装飾体を紐状部材上で移動させて、他の配置状態に定置させた一例を示す図
【図３】本発明に係る宝飾品の装飾体の一例を示す図
【図４】本発明に係る宝飾品の装飾体の製造手順の一例を示す図
【図５】本発明に係る宝飾品の装飾体の一例の孔部分を視認した図
【図６】本発明に係る宝飾品の他の一例を示す図
【図７】本発明に係る宝飾品の他の一例を示す図
【図８】従来のネックレスの一例を示す図
【図９】従来のネックレスの一例を示す図
【符号の説明】
【００３９】
１      紐状部材
２      装飾体
２０    装飾体本体
２００  端部
２１    装飾体の孔
２２    チューブ
２２１  チューブの切れ込み
２３    チューブの孔
２４    接着部材層
２５    接着部材層の孔
２６    接着部材
３      留め金具
【図１】
2010046383.tif 000003
【図２】
2010046383.tif 000004
【図３】
2010046383.tif 000005
【図４】
2010046383.tif 000006
【図５】
2010046383.tif 000007
【図６】
2010046383.tif 000008
【図７】
2010046383.tif 000009
【図８】
2010046383.tif 000010
【図９】
2010046383.tif 000011